(57)【要約】【課題】  宝飾品等の経歴を例えば宝飾品等のデザインや所有者等を映像を交えて把握可能にすることにより、宝飾品等をより有効なものとして所有することを可能とする宝飾品等の経歴情報システムを提供する。【解決手段】  宝飾品等８に関する情報を電子化情報として入力するための入力手段２と、入力手段２から入力された宝飾品等８に関する電子化情報を記憶させておく記憶手段３と、記憶手段３において記録される宝飾品等８に関する電子化情報の内で必要なものを選択して取り出すための選択手段４と、記憶手段３から取り出された電子化情報を移動可能な記録媒体５に記録するための書込手段６と、各手段を制御するための制御手段７とを有する履歴管理装置１と、記録媒体５とからなるものとした。【選択図】図１
2008293158.tif 000002
【特許請求の範囲】
【請求項１】
宝飾品等に関する情報を電子化情報として入力するための入力手段と、前記入力手段から入力された宝飾品等に関する電子化情報を記憶させておく記憶手段と、前記記憶手段において記録される前記宝飾品等に関する電子化情報の内で必要なものを選択して取り出すための選択手段と、前記記憶手段から取り出された電子化情報を移動可能な記録媒体に記録するための書込手段と、前記各手段を制御するための制御手段とを有する履歴管理装置と、前記記録媒体とからなることを特徴とする宝飾品等の経歴情報システム。
【請求項２】
前記宝飾品等に関する電子化情報として宝飾品等に関する画像や映像並びに音声等を含むことを特徴とする請求項１記載の宝飾品等の経歴情報システム。
【請求項３】
前記移動可能な記録媒体が宝飾品等自身に直接埋め込まれていることを特徴とする請求項１または２に記載の宝飾品等の経歴情報システム。
【請求項４】
前記履歴管理装置が通信可能で且つ前記宝飾品等に関する情報を電子化情報として入力するための入力手段を有する端末機器を有することを特徴とする請求項１，２または３に記載の宝飾品等の経歴情報システム。
【発明の詳細な説明】
【技術分野】
【０００１】
本発明は、宝飾品等の経歴情報システムに関するものである。
【背景技術】
【０００２】
指輪やネックレスの宝飾品や金や銀などの身飾品等は古くから用いられており、素材の安定性から長年の使用が可能であり時代を越えて価値が認められるものであるが、宝飾品等のデザインや用途には流行性もあり、使用を前提としない骨董的なものは別にして、近頃は流行や使用者に合わせてリフォームを行うことが行われている。
【０００３】
ところが、宝飾品等のリフォームには、デザインを含めて専門的な知識や技術が必要であるばかりか比較的高価な材料を必要とし高額になる場合が考えら、特に一旦リフォームしてしまうと再リフォームには同程度か或いはそれ以上の経済的な負担を強いられることにもなり、リフォームも慎重に行う必要があり安易にリフォームができない。
【０００４】
そこで、例えば特開平６−２５０５８９号公報、特開２００２−２１５７１５号公報、特開２００６−２３０４１２号公報などに実際にリフォームをする前に予めリフォーム後の宝飾品等の形態（外観）を写真や図、更にはコンピュータを用いてシミュレーションするなどして確認することができる手段が提示されている。
【０００５】
従って、前記手段を用いることにより事前に好みのデザインを選択した後にリフォームが可能になったことも宝飾品等のリフォームが促進の一因である。
【０００６】
一方、宝飾品等のリフォームが行われると、元の宝飾品等は新たな宝飾品等として生まれ変わるが、反面、元の形は消失してしまうことになり、通常、宝飾品等は各種の記念として購入したり贈られたりする場合が殆どであり、その記憶も薄らいでしまうことになる。
【０００７】
特に、近頃は、親子、親族友人などにおいても自身が使用していた宝飾品等を譲ることにより親交を図ることもあるが、本来は気持ちを含めて移譲されるべきであるところリフォームによって前のデザインが消失してしまうので新たな宝飾品等として捉えられてしまうことが多く、宝飾品等を譲るという本来の姿でなくなることもある。
【０００８】
また、骨董的な価値を有する宝飾品等についても著名な宝石などは基台や宝石そのもののデザインが変更される場合もあり、これらの場合に経緯が確認できないことから評価にも影響を与えることもある。
【特許文献１】特開平６−２５０５８９号公報
【特許文献２】特開２００２−２１５７１５号公報
【特許文献３】特開２００６−２３０４１２号公報
【発明の開示】
【発明が解決しようとする課題】
【０００９】
本発明は、上記のような問題点を解決しようとするものであり、宝飾品等の経歴を例えば宝飾品等のデザインや所有者等を映像を交えて把握可能にすることにより、宝飾品等をより有効なものとして所有することを可能とする宝飾品等の経歴情報システムを提供することを課題とするものである。
【課題を解決するための手段】
【００１０】
前記課題を解決にするためになされた本発明である宝飾品等の経歴情報システムは、宝飾品等に関する情報を電子化情報として入力するための入力手段と、前記入力手段から入力された宝飾品等に関する電子化情報を記憶させておく記憶手段と、前記記憶手段において記録される前記宝飾品等に関する電子化情報の内で必要なものを選択して取り出すための選択手段と、前記記憶手段から取り出された電子化情報を移動可能な記録媒体に記録するための書込手段と、前記各手段を制御するための制御手段とを有する履歴管理装置と、前記記録媒体とからなることを特徴とする。
【００１１】
本発明は、入力された宝飾品等に関する電子化された情報を記憶手段に記録しておき、選択手段によりそれらの内で必要な情報を選択して取り出し、これを書込手段により移動可能な記録媒体に記録し、この記録媒体を介して宝飾品等の経歴を確認するものであり、これにより、宝飾品等の取得経緯が確認でき、特に、宝飾品等に関する電子化情報として宝飾品等に関する画像や映像等を採用することにより、例えば製品の製作手順やリフォーム工程、更にはリフォームにあってはリフォーム前後におけるデザインの変化を確認することができる。
【００１２】
従って、宝飾品等の素性を知ることができることから安心して購入したり譲ったりすることができ、もし、リフォームが気に入らないデザインであったとしても簡単に元のデザインに戻すこともできる。
【００１３】
また、宝飾品等に関する電子化情報として例えば、鑑定書や製作、販売元、リフォームなどに関する各種の証明事項を含む場合には安心して取引がなされることになる。特に、これらを電子情報とすることにより前記画像や映像情報と関連させて真贋の判定に用いるようなソフトを組み込むことも可能であり、鑑定書などの偽造防止にも役立つ。
【００１４】
更に、本発明において、宝飾品等に関する電子化情報として宝飾品等に関する画像や映像等だけでなく、電子化情報として音声等を含む場合には購入時や使用した際の所有者に関する例えば結婚式などの映像や音声等を記録しておけることから記念の品としての価値が増すことになる。
【００１５】
更にまた、電子化情報として所有者の映像や音声等を含む場合には、例えば、宝飾品等を譲る（贈る）場合に、譲り渡す者は、譲り受ける者に対する気持ちをその宝飾品等の経歴を含めて示すことが可能であるばかりか、譲り受けた者は譲られた宝飾品等の経歴は勿論のこと譲り渡す者からのメッセージに込められている心情を容易且つ充分に汲み取ることができる。
【００１６】
加えて、前記移動可能な記録媒体としては証明事項を含むような場合は書換ができないものがよいが、通常の場合には少なくとも前記電子情報を追記が可能なものが好ましく、例えば小型のメモリーカードやＲＦＩＤタグなどの場合には宝飾品等のケースに収納可能であり、運搬に便利であるばかりか各宝飾品についてケースごと保管しておくことができてきわめて便利であり、更に、ＲＦＩＤタグとして微細なものを用いる場合には直接宝飾品等に埋め込むことも可能であり、いつでもどこでも情報を取り出すことができる。また、前記移動可能な記録媒体とビデオテープやＤＶＤなどのように比較的容易に大型のモニターなどにより再生することができることから、例えば結婚式などにおいて結婚指輪を母親から譲り受ける場合などにその旨を母親のメッセージを気持ちとして式の中で表現することが可能であり、その際にリフォームされている場合にはリフォーム前の宝飾品等の姿を再現することもできる。勿論、結婚後に花嫁はそれらのメッセージをいつでも再生することができ、更に、子供（孫）に引き継ぐことも可能である。
【００１７】
尚、前記記録媒体は、一種類に限るものでなく複数種類のものを用いてもよく、用途に応じて適宜選択して使用すればよく、限定されるものではない。
【００１８】
更に、本発明において、履歴管理装置が通信可能で且つ前記宝飾品等に関する情報を電子化情報として入力するための入力手段を有する端末機器を有する場合には、履歴管理装置は離れた場所から宝飾品等に関する情報を電子化情報として送信することができることから、履歴管理装置と離れた場所である例えば製造所や販売所、リフォーム場所や所有者からの情報も簡単に入力させることができき、また、所有者は離れた場所で経過情報を受信することができる。
【発明の効果】
【００１９】
本発明によると、リフォームしてデザインが変更されてもリフォーム前のデザインを確認することができるので過去の宝飾品などに纏わる思い出をいつまで持ち続けることができる。また、これは世代を超えて持続可能である。
【発明を実施するための最良の形態】
【００２０】
以下に、図面を参照しながら本発明を実施するための最良の形態を説明する。
【００２１】
図１は、本発明の実施の形態のブロック概略図を示すものであり、宝飾品等の経歴情報システム１は宝飾品等に関する情報を電子化情報として入力するための入力手段２と、入力手段２から入力された宝飾品等に関する電子化情報を記憶させておく記憶手段３と、この記憶手段３において記録される前記宝飾品等に関する電子化情報の内で必要なものを選択して取り出すための選択手段４と、記憶手段３から取り出された電子化情報を移動可能な記録媒体５に記録するための書込手段６と、前記各手段２〜６を制御するための制御手段７とを有する。
【００２２】
さらに詳しく説明すると、前記宝飾品等に関する情報を電子化情報として入力するための入力手段２としては例えば図２に示したリフォーム前の指輪である宝飾品等８の外形やその宝石８１を用いてリフォームした後の指輪である宝飾品等９の外形、リフォーム課程の映像（図示せず）を入力可能な電子式のカメラやビデオカメラなどの画像・映像入力手段２１、図３に示すように宝飾品等の前の持ち主や贈り主などの画像や映像を入力するための前記画像・映像入力手段２１とともにメッセージを録音するため音声入力手段２２、さらに、制作側において入力が必要な製造元、販売元や鑑定などの各種の認定事項を入力するためのスキャナー、キーボード、端末装置などの各種認証情報入力手段２３などが挙げられる。
【００２３】
また、前記記憶手段３、選択手段４、書込手段６ならびに制御手段７については従来一般に使用されているパーソナルコンピュータ（以下「ＰＣ」という）などに用いられているものと同様であり、ＰＣを用いることができる。
【００２４】
さらに、前記移動可能な記録媒体５としては従来周知の小型のメモリーカードやＲＦＩＤタグ、ビデオテープやＤＶＤなどのように画像・映像や音声を電子情報として記録且つ再生可能なものが挙げられる。
【００２５】
また、本実施の形態における経歴情報システム１は例えば製造元やリフォーム制作現場さらには顧客などが所有するＰＣのような端末装置１０との間で電子情報を送受信可能な例えばインターネットなどを介して通信可能な通信手段１１を有している。
【００２６】
次に本実施の形態について例えば図２に示したように、母親が所有している例えば指輪である宝飾品等８の宝石８１を用いてデザインをリフォームした宝飾品等９を花嫁に贈る場合について使用方法を説明する。尚、本実施の形態の使用方法はこれに限るものではない。
【００２７】
本実施の形態を使用するには、先ず、リフォーム前の宝飾品等８の外観の画像を入力手段２の１つである電子式カメラやビデオカメラなどにより電子化情報として取得して記憶手段に記憶しておく。このとき、所有者である母親が装着している画像（映像）も一緒に電子化しておき、必要であれば、花嫁である被贈呈者へのメッセージを音声入力手段２２を用いて電子化して前記画像などと同様に記憶手段３に記憶させておく。
【００２８】
また、必要であれば、宝飾品等８のリフォーム中の経過の画像や映像も電子化情報として記憶手段３に記憶しておく。
【００２９】
尚、前記各種の電子化情報は履歴管理装置１に備えた入力手段２により入力することを必要とせず、例えば通信手段１１を介して所有者やリフォームの現場などに設置した端末装置に備えた前記入力手段２と同様な入力手段（図示せず）をにより離れた箇所から入力してもよく、きわめて便利である。
【００３０】
次に、リフォームした宝飾品等９が完成したならば、前記記憶手段３に記憶させてある画像、映像、音声の電子化情報の内で必要なものを例えば管理者等がキーボードやマウスなどの選択手段４により選択し、書込手段６によりメモリーカードやＲＦＩＤタグ、ビデオテープやＤＶＤなどのように画像・映像や音声を電子情報として記録且つ再生可能な記録媒体５に記録する。
【００３１】
そして、リフォーム後の宝飾品等９の受け渡し時に前記必要な電子化情報を記録した記録媒体５も一緒に渡すことになる。このとき、例えばメモリーカードやＲＦＩＤタグ等の場合には宝飾品等９とともにケースなどに収容したり、微粒なＲＦＩＤタグについては、図２に示すように、直接宝飾品等９に埋め込むこともでき、この場合には別に保管する手間や場所を必要とせずきわめて便利である。
【００３２】
そして、例えば、リフォーム前の宝飾品等８の外観や贈呈されたものについては元の所有者の情報などを知りたい場合には、前記記録媒体５に記録されている情報を画像・映像更には音声表示再生手段を有する再生器やＰＣ等の装置を用いて再生することによりきわめて容易に確認することができる。
【００３３】
図３は、記録媒体５としてＤＶＤ等を用いた場合の再生時の一例を示すものであり、結婚式の披露宴などで指輪の贈呈の際に、例えば母親から花嫁１３に贈られる指輪である宝飾品等９の経歴や贈呈者１４からのメッセージなどを記録媒体５を再生して表示画面１５に音声と共に表示することにより花嫁は感銘を受けるとともに贈られる宝飾品等の経歴を知ることにより愛着がわくなどのメッセージ効果が得られ。
【００３４】
尚、本実施の形態では、リフォームを前提として説明したが、本発明はリフォームの場合に限らず新規に製造される宝飾品等についても例えば宝飾品等の経歴や製造元などの認定情報を記録するなどあらゆる宝飾品について実施することができ、メッセージなどの記録も贈呈の場合に限らず、購入者自身が記録してもよく、記録の時期も購入時やリフォーム時に限らず、例えば結婚記念日など所有者が記念に記録しておきたいときのいつでもよく、特に、通信手段１１を介してＰＣや携帯電話などのような端末装置１０を用いて情報を送受信することにより簡単に情報の送信や書込が可能である。勿論必要であればＩＤ確認等のようなセキュリティ手段を用いることもできる。このように、宝飾品等の経歴を記録手段に記録しておくことにより所有者が代わったりデザインが変ったりしても経歴を確認することができる。
【００３５】
特に、経歴情報は経歴管理装置１の記憶手段３に記憶されただけでなく、宝飾品等を記録媒体５の記録を前記通信手段１１を介して更新しておくことにより、所有者はいつでも最初から最新迄の情報を知ることができる。尚、本実施の形態では、全ての情報を経歴管理装置１の記憶手段３に記憶させてあることから、例えば記録媒体５を破損し或いは紛失等した場合でも再生が可能である。
【００３６】
尚、本実施の形態では宝飾品等８，９として宝石８１を具えた指輪の場合を示したがネックレスなど他の宝飾品等でもよく、さらに宝石を有していない身飾品等にもついても同様に実施することができる。
【図面の簡単な説明】
【００３７】
【図１】本発明の実施の形態の一例における概略ブロック図。
【図２】本実施の形態における宝飾品等のリフォーム前後の状態を示す説明図。
【図３】本発明の実施の形態における記録媒体の再生時の一例を示す説明図。
【００３８】
１  履歴管理装置、２  入力手段、３  記憶手段、４  選択手段、５  記録媒体、６  書込手段、７  制御手段、８  宝飾品等、９  宝飾品等
【図１】
2008293158.tif 000003
【図２】
2008293158.tif 000004
【図３】
2008293158.tif 000005